(57)【特許請求の範囲】
【請求項１】
車両のフロア上に第１のシートと第２のシートとが配設され、第１のシートはシートバックとシートクッションとが折畳み可能に構成された車両用シートの配設構造であって、
前記第２のシートには、前記フロアとの間に前記第１のシートを折畳んだ姿勢にして収容することのできる収容空間が形成されており、
該収容空間は、当該収容空間を包囲画定する囲い体で形成されており、該囲い体の前記第１のシートを収容出入させる出入口面部は開閉式の開閉蓋として形成されており、
該開閉蓋は、前記第１のシートを前記囲い体の収容空間内に収容できるようにする開放状態と、前記第１のシートを前記囲い体の収容空間内に収容して閉鎖する閉鎖状態とに作動切替される構成とされており、
前記第１のシートは、乗員が着座することのできる着座位置と前記囲い体の収容空間に収容される収容位置との間をスライド移動可能として配設されていると共に、該両位置には当該位置における当該第１のシートを位置決めする保持状態と、該保持状態の保持が解除される解除状態とに作動切替可能なスライドロック機構が備えられており、
前記開閉蓋の作動切替を行う操作レバーと前記スライドロック機構の作動切替を行う操作レバーとが同一の操作レバーとして配設されており、該同一の操作レバーの操作により前記開閉蓋とスライドロック機構とが関連して作動切替されることを特徴とする車両用シートの配設構造。
【請求項２】
請求項１に記載の車両用シートの配設構造であって、
スライドロック機構は、前記第１のシートと連結されたアッパーレールと、前記フロア上に配置形成されたロアレールとから構成されており、
前記アッパーレール側には、スライドロック機構の保持状態と解除状態を切替可能とするために、前記ロアレールと係合可能とされる係合部材が形成されており、
前記ロアレール側には、前記第１のシートを前記着座位置と前記収容位置に配置させる位置において前記係合部材と係合可能とされる係合孔が形成されており、
前記着座位置と前記収容位置の間において、前記係合部材が前記係合孔に係合しない状態を保ってロアレール上をスライド移動可能とされることにより、前記スライドロック機構の解除状態と前記開閉蓋の開放状態を維持されることを特徴とする車両用シートの配設構造。
【請求項３】
請求項１又は請求項２に記載の車両用シートの配設構造であって、
前記操作レバーは、前記スライドロック機構及び前記開閉蓋と、ワイヤーケーブルによって接続されており、
前記操作レバーの操作作動が、前記ワイヤーケーブルを介して前記スライドロック機構及び前記開閉蓋に伝達される構成となっており、
前記ワイヤーケーブルは、前記第１のシートが、前記着座位置と前記収容位置の間をスライド可能な長さに形成されていることを特徴とする車両用シートの配設構造。
【請求項４】
請求項３に記載の車両用シートの配設構造であって、
前記ロアレール側に形成された前記着座位置の係合孔と前記収容位置の係合孔の間隔は、
前記開閉蓋における前記開放状態のときの前端部と、前記第１のシートにおける前記収容位置の後端部との長さより大きく設定されていることを特徴とする車両用シートの配設構造。
【請求項５】
請求項３又は請求項４に記載の車両用シートの配設構造であって、
前記開閉蓋は、ヒンジにより開閉可能に構成されており、
該開閉蓋のヒンジの開閉軸部には、クランク軸が形成されており、
該クランク軸と前記ワイヤーケーブルが接続されており、
前記操作レバーを操作することによって、前記開閉蓋が閉鎖状態から開放状態へ作動する作動開始時期は、
前記第１のシートのスライドロック機構が保持状態から解除状態に作動切替されて、前記第１のシートが前記収容位置と前記着座位置の間におけるスライド移動開始時期よりも早いことを特徴とする車両用シートの配設構造。
【発明の詳細な説明】
【技術分野】
【０００１】
本発明は、車両用シートの配設構造に関する。詳細には、車両のフロア上に着座部となる第１のシート及び第２のシートが配設され、第１のシートはシートバックとシートクッションとが折畳み可能に構成された車両用シートの配設構造に関する。
【背景技術】
【０００２】
従来、車両のフロア上に複数列のシートが配設されている車両用シートの配設構造において、シートバックとシートクッションとが折畳み可能に構成された前側の車両用シートを後側の車両用シートの下部空間内に収容できるようになっているものがある。
ここで下記特許文献１には、前側の車両用シートをフロア上に畳み込んだ姿勢として、スライドによって後側の車両用シートの下部空間内に収容できるようになっている技術が開示されている。この後側シートは、着座部となるシートクッションが、内部に収容空間を有した枠体によってフロア上に固定配置された構成となっている。
【特許文献１】特開２００７−８３７８８号公報
【発明の開示】
【発明が解決しようとする課題】
【０００３】
しかしながら、上記従来技術では、前側のシートが後側シートの下部空間内に収容された状態時において、前側のシートが露出した状態のまま下部空間内に収容されているため見栄えが悪い。そのため、この収容空間の出入り口面部を蓋等で塞ぐ構成が考えられるが、前側シートをこの収容空間に収容したり、収容空間から乗員が着座することのできる着座位置に戻したりするたびに、蓋を手動で開放する必要があり操作性に課題を有していた。そこで本発明者は、かかる問題について鋭意検討の結果、前側のシートが後側シートの下部空間内に収容された後にシートを再び着座部の位置へ戻す際の解除機構と、この収容空間の出入り口面部に配設された蓋機構の改善をすることで、前側のシートが後側シートの下部空間内に収容された後に、シートを再び着座部の位置へ戻す際の操作性向上と、後側シートの下部空間の意匠性を向上することに着目したものである。
【０００４】
而して、本発明は、このような点に鑑みて創案されたものであり、本発明が解決しようとする課題は、一のシートの下部空間内に形成される収容空間に収容されたもう一方のシートを再び着座位置へ戻す際の操作性の向上と、この収容空間の意匠性向上を達成した車両用シートの配設構造を提供することにある。
【課題を解決するための手段】
【０００５】
上記した課題を達成するために、本発明に係る車両用シートの配設構造は、次の手段をとる。
本発明の第１の発明は、車両のフロア上に第１のシートと第２のシートとが配設され、第１のシートはシートバックとシートクッションとが折畳み可能に構成された車両用シートの配設構造であって、前記第２のシートには、前記フロアとの間に前記第１のシートを折畳んだ姿勢にして収容することのできる収容空間が形成されており、該収容空間は、当該収容空間を包囲画定する囲い体で形成されており、該囲い体の前記第１のシートを収容出入させる出入口面部は開閉式の開閉蓋として形成されており、該開閉蓋は、前記第１のシートを前記囲い体の収容空間内に収容できるようにする開放状態と、前記第１のシートを前記囲い体の収容空間内に収容して閉鎖する閉鎖状態とに作動切替される構成とされており、前記第１のシートは、乗員が着座することのできる着座位置と前記囲い体の収容空間に収容される収容位置との間をスライド移動可能として配設されていると共に、該両位置には当該位置における当該第１のシートを位置決めする保持状態と、該保持状態の保持が解除される解除状態とに作動切替可能なスライドロック機構が備えられており、前記開閉蓋の作動切替を行う操作レバーと前記スライドロック機構の作動切替を行う操作レバーとが同一の操作レバーとして配設されており、該同一の操作レバーの操作により前記開閉蓋とスライドロック機構とが関連して作動切替されることを特徴とする。
【０００６】
この第１の発明によれば、スライドロック機構の作動切替を行う操作レバーと開閉蓋の作動切替を行う操作レバーとが同一の操作レバーとして配設されており、この同一の操作レバーを操作することによって、開閉蓋の開放状態と閉鎖状態の作動切替と、スライドロック機構における保持状態と解除状態の作動切替が、関連して作動切替される。これにより、一回の操作で開閉蓋の作動切替とスライドロック機構の作動切替が可能となるため、第１のシートの着座位置と収容位置の間をスライド移動する際の操作性を向上させることができる。また、囲い体の第１のシートを収容出入させる出入口面部に形成された開閉蓋により、収容空間内が露出されないため、外観における意匠性を向上させることができる。
【０００７】
本発明の第２の発明は、スライドロック機構は、前記第１のシートと連結されたアッパーレールと、前記フロア上に配置形成されたロアレールとから構成されており、前記アッパーレール側には、スライドロック機構の保持状態と解除状態を切替可能とするために、前記ロアレールと係合可能とされる係合部材が形成されており、前記ロアレール側には、前記第１のシートを前記着座位置と前記収容位置に配置させる位置において前記係合部材と係合可能とされる係合孔が形成されており、前記着座位置と前記収容位置の間において、前記係合部材が前記係合孔に係合しない状態を保ってロアレール上をスライド移動可能とされることにより、前記スライドロック機構の解除状態と前記開閉蓋の開放状態を維持されることを特徴とする。
【０００８】
この第２の発明によれば、スライドロック機構はアッパーレールの係合部材と、ロアレールの係合孔により形成される。そして「スライドロック機構の保持状態」は、乗員が着座することのできる着座位置と前記囲い体の収容空間に収容される収容位置で達成されるようになっている。当該位置においてアッパーレールの係合部材がロアレールの係合孔に係合している状態とされるようになっており、第１のシートがロアレールに位置決めされた状態とされている。「スライドロック機構の解除状態」とは、保持状態の保持が解除される状態をいい、アッパーレールの係合部材がロアレールの係合孔に係合しない状態をいう。また、開閉蓋の開放状態と、閉鎖状態の作動切替も同一の操作レバーで操作される構成となっている。そして、スライドロック機構の保持状態においては、開閉蓋は閉鎖状態であり、反対にスライドロック機構の解除状態においては、開閉蓋は開放状態となる。
【０００９】
そして、操作レバーを操作してスライドロック機構の保持状態を解除状態に切り替えると、同一の操作レバーによって作動切替される開閉蓋が開放状態となる。このときアッパーレールの係合部材は、ロアレールの係合孔に係合しない状態である。そして、着座位置と収容位置の間において、係合部材が係合孔に係合しない状態を保ってロアレール上をスライド移動可能とされる。そのため、スライドロック機構は解除状態を維持された状態であり、開閉蓋は開放状態を維持された状態である。
そして、アッパーレールの係合部材が、着座位置と収容位置の位置に形成されているロアレールの係合孔に係合するとスライドロック機構は解除状態から保持状態となり、開閉蓋も閉鎖状態となる。
【００１０】
これにより、上記状態においては操作レバーから手が離れた場合でも開閉蓋が開放した状態で、第１のシートを着座位置と収容位置の間でスライド移動可能とすることができるため操作性がより一層向上することができる。例えば、上記状態において、操作レバーから手が離れた後に、操作レバー以外のシートの一部に力を加えて移動させたとしても第１のシートのスライド移動が可能である。よって、操作者が無理な姿勢をしたままの操作をする必要がなくなるため、第１のシートの着座位置と収容位置の間をスライド移動する際の操作性をより一層向上させることができる。
【００１１】
本発明の第３の発明は、前記操作レバーは、前記スライドロック機構及び前記開閉蓋と、ワイヤーケーブルによって接続されており、前記操作レバーの操作作動が、前記ワイヤーケーブルを介して前記スライドロック機構及び前記開閉蓋に伝達される構成となっており、前記ワイヤーケーブルは、前記第１のシートが、前記着座位置と前記収容位置の間をスライド可能な長さに形成されていることを特徴とする。
【００１２】
この第３の発明によれば、ワイヤーケーブルは、第１のシートが、前記着座位置と前記収容位置の間をスライド可能な長さに形成されている。これにより、第１のシートの前記着座位置と前記収容位置の間のスライド移動において、ワイヤーケーブルが多構成部品と干渉することを防止でき、円滑なスライド移動をさせることができる。
【００１３】
本発明の第４の発明は、前記ロアレール側に形成された前記着座位置の係合孔と前記収容位置の係合孔の間隔は、前記開閉蓋における前記開放状態のときの前端部と、前記第１のシートにおける前記収容位置の後端部との長さより大きく設定されていることを特徴とする。
【００１４】
この第４の発明によれば、ロアレールに形成された係合孔の着座位置と収容位置の間隔は、開閉蓋における開放状態のときの前端部と、第１のシートにおける収容位置の後端部との長さより大きく設定されている。
これにより、第１のシートのスライド移動時において、開閉蓋との干渉防止を図ることができる。
【００１５】
本発明の第５の発明は、前記開閉蓋は、ヒンジにより開閉可能に構成されており、
該開閉蓋のヒンジの開閉軸部には、クランク軸が形成されており、該クランク軸と前記ワイヤーケーブルが接続されており、前記操作レバーを操作することによって、前記開閉蓋が閉鎖状態から開放状態へ作動する作動開始時期は、前記第１のシートのスライドロック機構が保持状態から解除状態に作動切替されて、前記第１のシートが前記収容位置と前記着座位置の間におけるスライド移動開始時期よりも早いことを特徴とする。
【００１６】
この第５の発明によれば、開閉蓋は、囲い体にヒンジ連結されており、ヒンジ連結している連結軸部にはクランク軸が形成されている。そして、開閉蓋の開放状態へ作動する作動開始時期は、第１のシートのスライド移動開始時期よりも早い。これにより、開閉蓋が開放する前に第１のシートがスライド移動されないため、第１のシートのスライド移動時において、開閉蓋との干渉防止を図ることができる。
【発明の効果】
【００１７】
本発明は上記各発明の手段をとることにより次の効果を得ることができる。
先ず、上記第１の発明の車両のシート構造によれば、同一の操作レバーを操作することによって、開閉蓋の開放状態と閉鎖状態の作動切替と、スライドロック機構における保持状態と解除状態の作動切替が、関連して作動切替されため、一回の操作で可能となるため第１のシートの着座位置と収容位置の間をスライド移動する際の操作性を向上させることができる。また、囲い体の第１のシートを収容出入させる出入口面部に形成された開閉蓋により、収容空間内が露出されないため、外観における意匠性を向上させることができる。
次に、上記第２の発明の車両のシート構造によれば、操作レバーを操作して、スライドロック機構の保持状態を解除状態に切り替えた状態において、操作レバーから手が離れた場合でも開閉蓋が開放した状態で、第１のシートを着座位置と収容位置の間でスライド移動可能とすることができるため操作性がより一層向上することができる。
次に、上記第３の発明の車両のシート構造によれば、第１のシートの前記着座位置と前記収容位置の間のスライド移動において、ワイヤーケーブルが多構成部品と干渉することを防止でき、円滑なスライド移動をさせることができる。
次に、上記第４の発明の車両のシート構造によれば、第１のシートのスライド移動時において、開閉蓋との干渉防止を図ることができる。
次に、上記第５の発明の車両のシート構造によれば、開閉蓋が開放する前に第１のシートがスライド移動されないため、第１のシートのスライド移動時において、開閉蓋との干渉防止を図ることができる。
【発明を実施するための最良の形態】
【００１８】
以下に本発明を実施するための最良の形態を図面を用いて説明する。
図１は、本実施例に係る車両用シートの配設構造におけるセカンドシートとサードシートの構成を表した側面図である。図２は、本実施例に係る車両用シートの配設構造におけるセカンドシートとサードシートの構成を表した斜視図である。図３は、本実施例に係る車両用シートの配設構造におけるサードシートの下に形成された収容空間とこの収容空間に収容されたセカンドシートの構成を表した斜視図である。図４は、本実施例に係る車両用シートの配設構造におけるサードシート下に形成された収容空間の開閉蓋とスライドロック機構の構成を表した側面図である。図５は、本実施例に係る車両用シートの配設構造における開閉蓋とスライドロック機構を操作する操作レバーの構成を表した斜視図である。図６は、本実施例に係る車両用シートの配設構造におけるサードシート下に形成された収容空間の開閉蓋のヒンジ構造を表した側面図である。図７は、本実施例に係る車両用シートの配設構造における図６のVII−VII線断面図である。
【００１９】
図１に図示されるように、車両のフロアＦ上には、二列目シートとなるセカンドシート２０と三列目シートとなるサードシート３０とが車両の前後方向に並んで配設されている。ここで、セカンドシート２０が本発明の第１のシートに相当し、サードシート３０が本発明の第２のシートに相当する。なお、図示は省略されているが、セカンドシート２０の前列側には、運転席や助手席となるフロントシートが配設されている。
【００２０】
図１及び図２に図示されるように、前列側に配設されたセカンドシート２０は、この列に座る二人〜三人の着座者を着座させることのできる横長状の幅長を有した構成となっている。そして、その後ろ側の列に配設されたサードシート３０も、この列に座る二人〜三人の着座者を着座させることのできる横長状の幅長を有した構成となっている。そして、本実施例では、上記した前列側のセカンドシート２０を折畳んでフロアＦ上に落とし込んだ姿勢に切り替えることによりセカンドシート２０全体を後列側のサードシート３０下に形成された収容空間３８内にスライド移動させて収容できるようになっている。
【００２１】
ここで、サードシート３０は、背凭れとなるシートバック３２と、着座部となるシートクッション３４を有して構成されている。そして、このサードシート３０は、シートクッション３４の下部に設けられた枠状の支持体３６によって、フロアＦ上に固定支持されている。
図３に図示されるように、この支持体３６は、その上枠部分がシートクッション３４の骨格フレームと一体的に結合されている。そして、この支持体３６よって囲まれた空間部分が、車両前後方向に開口した収容空間３８として形成されている。この収容空間３８は、前述した折畳み姿勢としたセカンドシート２０をその内部に納めることのできる大きさに形成されている。そして、この収容空間３８内には、本発明の囲い体に相当する箱型の収容箱１０が配設されている。
【００２２】
この収容箱１０は、図２及び図３に図示されるように、概略、側板１２、天板１４、後板１６、開閉蓋１８から構成されており、収容空間３８全体を外部に対して覆い隠すように配置形成されている。そして、この収容箱１０の車両前方側にはセカンドシート２０を収容出入させる出入口面部があり、この出入口面部の上部に備えられたヒンジを介して上開き開閉式の開閉蓋１８が形成されている。これにより、収容箱１０は、開閉蓋１８が開閉操作されることによって、収容空間の出入口面部を開口させたり閉鎖させたりすることができる。すなわち、セカンドシート２０を収容空間３８内に収容できるようにする開放状態１８Ｘと、収容空間３８内に収容して閉鎖する閉鎖状態１８Ｙにすることができる。
なお、収容空間３８を覆い隠すように形成する収容箱は、セカンドシート２０を収容した際に外部から見えない様に覆い隠すことのできる構成であれば足り、完全に上下四方を包囲形成する必要は無いものである。
【００２３】
また収容箱１０は、その上面部の天板１４の一部が開口した形状となっており、これを車両前方方向に引き出すことで、その上面部の開口を外部に露出させられるようになっている。これによりセカンドシート２０の未収容時には、収容箱１０の上面の開口から物を収容したり取り出したりする使用が可能となる。また、サードシート３０は、シートクッション３４を後端を基点に起こし上げて、収容箱１０の上側の開口を外部に露出させられるようになっている。これにより、収容箱１０の上側の開口から物を収容したり取り出したりする使用が可能となる。
【００２４】
次に、セカンドシート２０の構成について詳しく説明する。このセカンドシート２０は図１及び図２に図示されるように、背凭れとなるシートバック２２と、着座部となるシートクッション２４とを有して構成されている。ここで、シートバック２２は、その両サイドの下端部が、リクライニング装置２６を介してシートクッション２４の後端部とそれぞれ連結されている。これにより、シートバック２２は、リクライニング２６の作動状態を切り替えることで、シークッション２４に対して起立した姿勢位置に固定されたり、この固定状態が解除されてシートクッション２４の上面部に前倒しされたりするようになっている。
【００２５】
なお、リクライニング装置２６の基本構成は、特開２００２−３６０３６８号公報等の文献に開示された公知の構成となっているため、これらの詳細な説明は省略することとする。このリクライニング装置２６は、常時はシートバック２２の背凭れ角度を固定したロック状態に付勢によって保持されている。そして、このリクライニング装置２６のロック状態は、シートバック２２の左肩口に設けられた操作レバー２２Ａを図示手前側に引下げる操作によって、解除されるようになっている。
【００２６】
ここで、図示は省略されているが、シートバック２２とシートクッション２４との間には、シートバック２２を常時前倒し方向に付勢するばね部材が掛着されている。これにより、シートバック２２は、操作レバー２２Ａの解除操作によってリクライニング装置２６のロック状態が解除されることにより、付勢によってシートクッション２４の上面部に前倒しされるようになっている。
また、シートクッション２４は、その前後の二箇所の部位が、左右一対の構成をもつリンクアーム２８Ａ、２８Ｂによって、フロアＦ上に配設された左右一対のスライドロック機構４０のアッパーレール４２とそれぞれリンク連結されている。
【００２７】
図１に図示されるように、セカンドシート２０は、シートバック２２がシートクッション２４の上面部に前倒しされた状態で、リンクアーム２８Ａ、２８Ｂのリンク運動に伴ってフロアＦ上に落とし込まれる構成となっている。そして、フロアＦ上に落とし込まれた姿勢のセカンドシート２０をサードシート３０下の収容空間３８内に収容することができる。この左右一対のリンクアーム２８Ａ、２８Ｂは、その下端部が、左右のアッパーレール４２の上面部に固定配置されたＬ型形状のブラケット４８Ａ、ブラケット４８Ｂの側面部に回動可能に枢支されている。そして、リンクアーム２８Ａ、２８Ｂの上端部は、シートクッション２４の骨格フレームの側部に回動可能に枢支されている。これらリンクアーム２８Ａ、２８Ｂは、そのリンク運動に伴う起倒回動によって、シートクッション２４を通常の着座位置２０Ｘと、フロアＦ上に落としこんだ倒伏位置２０Ｙと、の間で昇降移動させる。
【００２８】
そして、これらリンクアーム２８Ａ、２８Ｂの起倒回動は、前側のリンクアーム２８Ａの上端連結部に設けられた図示しない回転留め装置によってロックされるようになっている。ここで、回転留め装置の基本的構成は、前述したリクライニング装置２６と実質的に同じ構成となっており、常時は付勢によって回転留めしたロック状態に保持されている。そして、このロック状態は、前述したシートバック２２の左肩口に設けられた操作レバー２２Ａの引き下げ操作によって解除されるようになっている。
【００２９】
したがって、操作レバー２２Ａの解除操作を行うことにより、シートバック２２がシートクッション２４の上面部に倒し込まれると共に、セカンドシート２０全体がフロアＦ上に落とし込まれた倒伏位置２０Ｙに姿勢保持される。そして、後述のスライドロック機構４０が解除状態にされると、この倒伏位置２０Ｙに折畳み姿勢とされたセカンドシート２０全体を後列側のサードシート３０下に形成された収容空間３８内にスライドさせて収容することができる。
【００３０】
ここで、図１に図示されるように、セカンドシート２０がサードシート３０の車両前方においてシートバック２２を起立させた位置（図１の左側に仮想線で図示されたセカンドシート２０）が、乗員が着座することのできる着座位置２０Ｘである。
そして、この着座位置２０Ｘから前列側のセカンドシート２０を折畳んでフロアＦ上に落とし込んだ姿勢に切り替えた位置状態が倒伏位置２０Ｙである。
そしてこの倒伏位置２０Ｙに折畳み姿勢とされたセカンドシート２０全体を後列側のサードシート３０下に形成された収容空間３８内にスライドさせて収容されている位置（図１の右側にサードシート３０の下方に仮想線で図示されたセカンドシート２０）が、収容空間３８に収容される収容位置２０Ｚである。
【００３１】
次に、サードシート３０下に形成された収容空間３８の開閉蓋１８とスライドロック機構４０の構成について説明する。図３は、本実施例に係る車両用シートの配設構造におけるサードシート３０の下に形成された収容空間３８と、この収容空間３８に収容されたセカンドシート２０の構成を表した斜視図である。図４は、本実施例に係る車両用シートの配設構造におけるサードシート３０下に形成された収容空間３８の開閉蓋１８とスライドロック機構４０の構成を表した側面図である。なお、図４においては、収容空間３８内に収容されているセカンドシート２０の図示、及び、ロアレール４４の車両外方側の側面部の図示を省略している。
【００３２】
図３に図示されるように、セカンドシート２０を後列側のサードシート３０下に形成された収容空間３８内にスライドさせて収容された収容位置２０Ｚに保持された状態において、スライドロック機構４０のアッパーレール４２が収容空間３８の下方に位置している。この状態において、セカンドシート２０に備えられた操作レバー５０が、収容空間３８の車両前方側に配置されている。図４に図示されるように、この操作レバー５０は、開閉蓋１８が閉鎖状態１８Ｙにおいても、開閉蓋１８に形成された切り欠き部１８Ｋ（図３参照）を介して操作者の手を収容空間３８内に差し入れることができる位置に配置形成されている。
【００３３】
そして、図４に図示されるように、この操作レバー５０は、スライドロック機構４０及び開閉蓋１８と、ワイヤーケーブル６０によって接続されている。本実施例におけるこのワイヤーケーブル６０は、従来から用いられているプル式（引張りタイプ）のケーブルを用いている。このケーブルは、インナーケーブルとアウターケーシングで構成され引きを伝達するケーブルである。このワイヤーケーブル６０の接続構成の詳細は、操作レバー５０に接続される操作レバー接続端部６２から延びて二股に分岐して、一端がスライドロック機構接続端部６４としてスライドロック機構４０に接続され、もう一端が開閉蓋接続端部６６として開閉蓋１８のクランク軸１９に接続されている。
【００３４】
これにより、操作レバー５０の操作作動が、ワイヤーケーブル６０を介してスライドロック機構４０及び開閉蓋１８に伝達される構成となっている。
また、この操作レバー５０は、開閉蓋１８の作動切替を行う操作レバーとスライドロック機構４０の作動切替を行う操作レバーとが同一の操作レバー５０として配設されている。そのため、この操作レバー５０の操作により開閉蓋１８とスライドロック機構４０とが関連して作動切替される構成とされている。
また、図１に図示されるように、ワイヤーケーブル６０はセカンドシート２０が着座位置２０Ｘから収容位置２０Ｚの間をスライド移動可能な長さに形成され、多構成部品との干渉を防止した円滑なスライド移動を可能な状態として配索されている。
【００３５】
操作レバー５０についての構成について詳しく説明する。この操作レバー５０は、図３に図示されるように、セカンドシート２０の左右のリンクアーム２８Ａを横断して設置された支持部材５３上であり、かつ、セカンドシート２０の横方向において略中央に配置されている。
図５に図示されるように、支持部材５３上には、箱形形状の操作レバーケース５１が載置されており、下面部が開放している。また、車両前方側の面の略中央部には、切り欠き部５１Ｃが形成されている。そして、この操作レバーケース５１内に断面コの字形状をした直方体のレバー部材５２が下面部を開放した状態で取付けられている。そして、操作レバーケース５１の車両前方面５１Ａと、レバー部材５２の車両前方面の操作部５２Ａの間には、ばね５４、５４が付勢されている。このばね５４、５４の付勢力によって、常時はレバー部材５２が車両後方に付勢されている。また、ワイヤーケーブル６０の操作レバー接続端部６２が、操作レバーケース５１の車両後方面５１Ｂを通じてレバー部材５２の車両後方面５２Ｂに接続されている。
これにより、図４に図示されるように、操作者が開閉蓋１８に形成された切り欠き部１８Ｋ（図３参照）から手を差し入れて、下方よりレバー部材５２の操作部５２Ａに手を掛けて車両前方側への引き操作をすることで、開閉蓋１８とスライドロック機構４０を作動させることができる構成となっている。
【００３６】
次に、スライドロック機構４０の構成について詳しく説明する。このスライドロック機構４０は、図４に図示されるように、フロアＦ内に固定配置されたレール形状のロアレール４４とロアレール４４に対してレールの延びる方向にスライド可能に嵌め込まれたアッパーレール４２と、を有する。
【００３７】
これらロアレール４４やアッパーレール４２は、それぞれ、車両の前後方向にレール形状が真っ直ぐ延びるように配置形成されている。詳しくは、ロアレール４４は、図１に図示されるように、サードシート３０の下部に形成された収容空間３８の内部位置まで延びて配置形成されている。
図１に図示されるように、このスライドロック機構４０は、アッパーレール４２に備えられた係合部材４６がロアレール４４に形成された係合孔４５Ｘ又は係合孔４５Ｚに入り込むことにより、アッパーレール４２のロアレール４４に対するスライド移動を規制する構成となっている。このスライドロック機構４０はシートを前後動させた際に位置決めする周知の機構のものである。
【００３８】
図４に図示されるように、このアッパーレール４２は、概略、レール本体４３、ブラケット４８Ａ、ブラケット４８Ｂ、係合部材４６、伝達部材４７ａ、伝達部材４７ｂ、伝達部材４７ｃ、ばね４７ｄから構成されている。
また、図３に図示されるように、レール本体４３（図４参照）の上面に固定配置されたＬ型形状のブラケット４８Ａ、ブラケット４８Ｂが、シートクッション２４の前後の二箇所の部位において、左右一対の構成をもつリンクアーム２８Ａ、２８Ｂとそれぞれリンク連結されている。
図４に図示されるように、レール本体４３内には、略中央に係合部材４６が配置されており、この係合部材４６と伝達部材４７ａ、伝達部材４７ｂ、伝達部材４７ｃ、がリンク連結されている。そして、係合部材４６は、常時はばね４７ｄの付勢力によってロアレール４４に形成された係合孔４５Ｘ（図１参照）又は係合孔４５Ｚ内に入り込む作動方向に付勢されている。そして、伝達部材４７ｂの端部にワイヤーケーブル６０のスライドロック機構接続端部６４が接続されている。これにより、操作レバー５０の操作作動がワイヤーケーブル６０を介して伝達部材４７ｂに伝達されると、伝達部材４７ａ、伝達部材４７ｃがばね４７ｄの付勢力に抗して作動し、係合部材４６を係合孔４５Ｘ（図１参照）又は係合孔４５Ｚ内から抜け出る作動方向に作動させる。
【００３９】
ここで「スライドロック機構の保持状態」とは、図１に図示されるように、乗員が着座することのできる着座位置２０Ｘと収容空間３８に収容される収容位置２０Ｚにおけるセカンドシート２０を位置決めされた状態をいい、当該位置においてアッパーレール４２の係合部材４６がロアレール４４の係合孔４５Ｘ又は係合孔４５Ｚに係合している状態をいう。
「スライドロック機構の解除状態」とは、保持状態の保持が解除される状態をいい、当該位置においてアッパーレール４２の係合部材４６がロアレール４４の係合孔４５Ｘ又は、係合孔４５Ｚに係合しない状態をいい、図４内の仮想線で図示されたスライドロック機構４０が、スライドロック機構４０の解除状態を保持した状態でロアレール４４上をスライド移動している状態である。
【００４０】
ここで、図１に図示されるように、ロアレール４４の係合孔４５Ｘと係合孔４５Ｚの間隔Ｄ１は、開閉蓋１８における開放状態１８Ｘのときの前端部とセカンドシート２０における収容位置２０Ｚの後端部との長さＤ２より大きく設定されている。これにより、セカンドシート２０は、収容位置２０Ｚから着座位置２０Ｘまでスライド移動される場合、及び、シートバック２２をシークッション２４に対して起立した姿勢位置に固定した場合においても、開閉蓋１８との干渉を防止することができる。
【００４１】
また、図４内において仮想線で図示されたスライドロック機構４０は、係合部材４６がロアレール４４の係合孔４５Ｘ又は係合孔４５Ｚに係合しないスライドロック機構４０を解除状態とした状態でロアレール４４上をスライド移動している状態である。
すなわち、操作レバー５０を操作してスライドロック機構４０の保持状態を解除状態に切り替えると、同一の操作レバーによって作動切替される開閉蓋１８が開放状態１８Ｘとなる。このときアッパーレール４２の係合部材４６は、ロアレール４４の４５Ｘ又は係合孔４５Ｚに係合しない状態となる。そして、着座位置と収容位置の間において、係合部材４６が４５Ｘ又は係合孔４５Ｚに係合しない状態を保ってロアレール４４上をスライド移動可能とされる。そのため、スライドロック機構４０は解除状態を維持された状態であり、開閉蓋１８は開放状態１８Ｘを維持された状態である。
そして、アッパーレール４２の係合部材４６が、着座位置２０Ｘと収容位置２０Ｚの位置のロアレール４４に形成されている係合孔４５Ｘ又は係合孔４５Ｚに係合するとスライドロック機構４０は解除状態から保持状態となり、開閉蓋１８も閉鎖状態１８Ｙとなる。
【００４２】
次に、開閉蓋１８の構成について詳しく説明する。図３に図示されるように、この開閉蓋１８は、収容箱１０の側板１２の車両前方方向、かつ上方の隅部にヒンジ結合され、上開き状に開閉可能に構成されている。詳しくは、図６及び図７に図示されるように、側板１２のヒンジ結合部の車両外方側には、開閉蓋１８と連結されたクランク軸１９が形成されている。このクランク軸１９は、略円板形状に形成されており、側板１２と略平行方向の状態で円板の中心位置のクランク軸中心部１５と開閉蓋１８とが軸を介して結合されている。そして、このクランク軸１９のクランク軸中心部１５から円板状の半径方向にずれた位置であって、かつ、車両前方方向の位置において、ワイヤーケーブル接続部１３とワイヤーケーブル６０の開閉蓋接続端部６６が回動可能に枢支されている。
【００４３】
また、図７に図示されるように、開閉蓋１８とクランク軸１９の間には、ねじりばね１７が構成されており、一端が開閉蓋１８に結合されており、もう一端が側板１２に結合されており、常時はねじりばね１７の付勢力によって開閉蓋１８を閉鎖状態１８Ｙに付勢している。
そして、操作レバー５０の操作作動がワイヤーケーブル６０を介してクランク軸１９に伝達されると、クランク軸１９が、ねじりばね１７の付勢力に抗して図６の図示上時計回転方向に回転し、クランク軸１９と結合されている開閉蓋１８を開放状態１８Ｘの作動方向に作動させる。
【００４４】
なお、クランク軸１９のワイヤーケーブル接続部１３の位置をクランク軸中心部１５と近接させることによって、クランク軸１９の円板上におけるクランク軸中心部１５からの半径が小さくなるため、ワイヤーケーブル接続部１３の回転移動距離も少なくすることができる。これにより、スライドロック機構４０が保持状態から解除状態に作動切替されて、セカンドシート２０が収容位置２０Ｚと着座位置２０Ｘの間におけるスライド移動を開始する時期よりも、開閉蓋１８の閉鎖状態から開放状態へ作動する開始時期を早めることができる。
【００４５】
上記構成からなる本実施例における車両用シートの配設構造の作動は次の通りである。
先ず、セカンドシート２０を着座位置２０Ｘから収容位置２０Ｚへ収容する作動内容について説明する。
図1に図示されるように、セカンドシート２０が着座位置２０Ｘの位置に保持している状態において、シートバック２２の左肩口に設けられた操作レバー２２Ａを図示手前側に引下げる操作によって、シートバック２２をシートクッション２４の上面部に前倒しされた姿勢にするとともに、シートクッション２４の骨格フレームの側部に回動可能に枢支されたリンクアーム２８Ａ、２８Ｂのリンク運動に伴う起倒回動によって、シートクッション２４を着座位置２０ＸからフロアＦ上に落としこんだ倒伏位置２０Ｙへ降下移動させる。
【００４６】
そして、操作レバー５０の操作部５２Ａを車両前方方向に引く操作作動をする。そして、この操作作動がワイヤーケーブル６０を介してスライドロック機構４０及び開閉蓋１８に伝達されて、スライドロック機構４０の係合部材４６がロアレール４４の係合孔４５Ｘの係合から外れ、着座位置２０Ｘの保持状態の保持が解除される解除状態となり、開閉蓋１８は、セカンドシート２０を収容空間３８内に収容できるようにする開放状態１８Ｘとなる。
これにより、セカンドシート２０が、サードシート３０の下方の収容空間３８内の収容位置２０Ｚに向かってスライド移動され、収容空間３８内に収容されて収容位置２０Ｚの位置まで移動すると、スライドロック機構４０の係合部材４６がロアレール４４の係合孔４５Ｚに係合して、収容位置２０Ｚにおけるセカンドシート２０を位置決めする保持状態となり、開閉蓋１８はセカンドシート２０を収容空間３８内に収容して閉鎖する閉鎖状態１８Ｙとなる。
【００４７】
次に、セカンドシート２０を収容位置２０Ｚから着座位置２０Ｘへ引き出す作動内容について説明する。
図1に図示されるように、セカンドシート２０が収容位置２０Ｚの位置に保持している状態において、開閉蓋１８の切り欠き部１８Ｋに手を差し入れて、操作レバー５０の操作部５２Ａを車両前方方向に引く操作作動をする。そして、この操作作動がワイヤーケーブル６０を介してスライドロック機構４０及び開閉蓋１８に伝達されて、スライドロック機構４０の係合部材４６がロアレール４４の係合孔４５Ｚの係合から外れ、収容位置２０Ｚの保持状態の保持が解除される解除状態となり、開閉蓋１８は、セカンドシート２０を収容空間３８内から引き出すことができるようにする開放状態１８Ｘとなる。
これにより、セカンドシート２０が、乗員が着座することのできる着座位置２０Ｘに向かってスライド移動され、収容空間３８内から引き出され着座位置２０Ｘの位置まで移動すると、スライドロック機構４０の係合部材４６がロアレール４４の係合孔４５Ｘに係合して、着座位置２０Ｘにおけるセカンドシート２０を位置決めする保持状態となり、開閉蓋１８は閉鎖状態１８Ｙとなる。
【００４８】
この状態は、セカンドシート２０がフロアＦ上に落としこんだ倒伏位置２０Ｙとなっているため、シートバック２２の左肩口に設けられた操作レバー２２Ａを図示手前側に引下げる操作によって、シートバック２２をシートクッション２４に対して起立させた姿勢にするとともに、シートクッション２４の骨格フレームの側部に回動可能に枢支されたリンクアーム２８Ａ、２８Ｂのリンク運動に伴う起倒回動によって、シートクッション２４を倒伏位置２０Ｙから着座位置２０Ｘへ上昇移動させる。
【００４９】
本発明の実施例に係る車両用シートの配設構造は上述したように構成されている。この構成によれば、スライドロック機構４０の作動切替を行う操作レバーと開閉蓋１８の作動切替を行う操作レバーとが同一の操作レバー５０として配設されており、この同一の操作レバー５０を操作することによって、開閉蓋１８の開放状態１８Ｘまたは閉鎖状態１８Ｙの作動切替と、スライドロック機構４０における保持状態と解除状態の作動切替が、関連して作動切替される。これにより、一回の操作で開閉蓋１８の作動切替とスライドロック機構４０の作動切替が可能となるため、セカンドシート２０の着座位置２０Ｘと収容位置２０Ｚの間をスライド移動する際の操作性を向上させることができる。また、開閉蓋１８により、収容空間３８内が露出されないため、外観における意匠性を向上させることができる。
【００５０】
ワイヤーケーブル６０は、セカンドシート２０が、着座位置２０Ｘと収容位置２０Ｚの間をスライド可能な長さに形成されている。これにより、セカンドシート２０の着座位置２０Ｘと収容位置２０Ｚの間のスライド移動において、ワイヤーケーブル６０が多構成部品と干渉することを防止でき、円滑なスライド移動をさせることができるため、セカンドシート２０の着座位置２０Ｘと収容位置２０Ｚの間をスライド移動する際の操作性をより一層向上させることができる。
【００５１】
操作レバー５０を操作してスライドロック機構４０の保持状態を解除状態に切り替えると、同一の操作レバーによって作動切替される開閉蓋１８が開放状態となる。このときアッパーレール４２の係合部材４６は、ロアレール４４の係合孔４５Ｘ又は４５Ｚに係合しない状態である。そして、着座位置２０Ｘと収容位置２０Ｚの間において、係合部材４６が係合孔４５Ｘ又は４５Ｚに係合しない状態を保ってロアレール４４上をスライド移動可能とされる。そのため、スライドロック機構４０は解除状態を維持された状態であり、開閉蓋１８は開放状態１８Ｘを維持された状態である。
そして、アッパーレール４２の係合部材４６が、着座位置２０Ｘと収容位置２０Ｚの位置に形成されているロアレール４４の係合孔４５Ｘ又は４５Ｚに係合するとスライドロック機構４０は解除状態から保持状態となり、開閉蓋１８も閉鎖状態１８Ｙとなる。
【００５２】
これにより、上記状態においては操作レバー５０から手が離れた場合でも開閉蓋１８が開放した状態で、セカンドシート２０を着座位置２０Ｘと収容位置２０Ｚの間でスライド移動可能とすることができるため操作性がより一層向上することができる。例えば、上記状態において、操作レバー５０から手が離れた後に、操作レバー５０以外のシートの一部に力を加えて移動させたとしてもセカンドシート２０のスライド移動が可能である。よって、操作者が無理な姿勢をしたままの操作をする必要がなくなるため、セカンドシート２０の着座位置２０Ｘと収容位置２０Ｚの間をスライド移動する際の操作性をより一層向上させることができる。
【００５３】
ロアレール４４に形成された係合孔４５Ｘ又は４５Ｚの着座位置２０Ｘと収容位置２０Ｚの間隔Ｄ１は、開閉蓋１８における開放状態１８Ｘのときの前端部と、セカンドシート２０における収容位置２０Ｚの後端部との長さＤ２より大きく設定されている。
これにより、セカンドシート２０のスライド移動時において、開閉蓋１８との干渉防止を図ることができる。
【００５４】
開閉蓋１８は、収容箱１０の側板１２にヒンジ連結されており、ヒンジ連結している連結軸部にはクランク軸１９が形成されている。そして、開閉蓋１８の開放状態へ作動する作動開始時期は、セカンドシート２０のスライド移動開始時期よりも早い。これにより、開閉蓋１８が開放する前にセカンドシート２０がスライド移動されないため、セカンドシート２０のスライド移動時において、開閉蓋１８との干渉防止を図ることができる。
【００５５】
本発明の車両用シートの配設構造は、本実施の形態に限定されず、本発明の要旨を変更しない範囲で種々の変更、追加、削除が可能である。例えば、開閉蓋は、横開きや下開きの構成となってもよい。但し横開きや下開きとする場合には、開閉蓋がセカンドシートのスライド移動を阻害しないように別途工夫が必要となる。
【００５６】
また、セカンドシートやサードシートは、それぞれ各一人ずつの着座者を着座させる大きさ、形状に別個に分かれて形成されていてもよい。この場合には、収容箱の大きさも、それぞれ収容空間に合わせた大きさに形成されることになる。
また、セカンドシートをサードシートの収容空間内に収容移動させるための機構としてスライドロック機構を示したが、リンク機構等の他の機構の運動を利用してセカンドシートの収容移動を行なうようにしてもよい。
【００５７】
また、車両の前側に配設されたシートがその後ろ側のシートの下部空間に収容される構成を示したがシート間の配置関係は特に限定されない。したがって、例えば、前側のシートに収容空間を形成し、後側のシートを前側のシートの下部空間に収容するようにしてもよい。また、他の位置に配設されたシートを収容するようにしてもよい。そして、これらの場合には、開閉蓋を収容するシートの配設方向側に向けて設定すると、収容や取り出しが容易となるため好ましい。
また、ワイヤーケーブルについて、プル式（引張りタイプ）のワイヤーケーブルについて示したが、押し引き両用のプッシュプル形式のワイヤーケーブルであってもよい。
【００５８】
また、本実施例においては、クランク軸１９のワイヤーケーブル接続部１３の位置をクランク軸中心部１５と近接させることによって、ワイヤーケーブル接続部１３の回転移動距離を少なくする構成について示した。これは、スライドロック機構４０が保持状態から解除状態に作動切替されて、セカンドシート２０が収容位置２０Ｚと着座位置２０Ｘの間におけるスライド移動を開始する時期よりも、開閉蓋１８の閉鎖状態から開放状態へ作動する開始時期を早めることができる構成のものである。
【００５９】
上記構成において、図８に図示されるように、開閉蓋１８の開放状態１８Ｘの位置で開閉蓋の作動を留めるストッパー１１を形成するとともに、ワイヤーケーブル６０の開閉蓋接続端部６６に、ばね６７を設ける構成でもよい。このばね６７の弾性力は、開閉蓋１８の開閉作動においては弾性変形しない弾性力を有した構成とすることで、開閉蓋１８が開放して開放状態１８Ｘでストッパー１１と当接した後、更に操作レバー５０に操作作動力を及ぼすことによってスライドロック機構４０を作動させることができる。これにより、開閉蓋１８が早期に開放状態１８Ｘとなっても、スライドロック機構４０への操作作動が容易とされるため、操作レバー５０の操作性がより一層向上する。
【００６０】
また、開閉蓋１８の切り欠き部１８Ｋにカーテン等を備える構成であってもよい。これにより、開閉蓋１８が閉鎖状態１８Ｙに位置しているときにおいて、この切り欠き部１８Ｋにおける収容空間３８内の露出を防止することができるため見栄えが更に向上することができる。
【図面の簡単な説明】
【００６１】
【図１】本実施例に係る車両用シートの配設構造におけるセカンドシートとサードシートの構成を表した側面図である。
【図２】本実施例に係る車両用シートの配設構造におけるセカンドシートとサードシートの構成を表した斜視図である。
【図３】本実施例に係る車両用シートの配設構造におけるサードシートの下に形成された収容空間とこの収容空間に収容されたセカンドシートの構成を表した斜視図である。
【図４】本実施例に係る車両用シートの配設構造におけるサードシート下に形成された収容空間の開閉蓋とスライドロック機構の構成を表した側面図である。
【図５】本実施例に係る車両用シートの配設構造における開閉蓋とスライドロック機構を操作する操作レバーの構成を表した斜視図である。
【図６】本実施例に係る車両用シートの配設構造におけるサードシート下に形成された収容空間の開閉蓋のヒンジ構造を表した側面図である。
【図７】本実施例に係る車両用シートの配設構造における図６のVII−VII線断面図である。
【図８】本実施例に係る車両用シートの配設構造におけるサードシート下に形成された収容空間の開閉蓋のヒンジ構造の変更例を表した側面図である。
【符号の説明】
【００６２】
１０    収容箱
１１    ストッパー
１２    側板
１３    ワイヤーケーブル接続部
１４    天板
１５    クランク軸中心部
１６    後板
１７    ねじりばね
１８    開閉蓋
１８Ｋ  切り欠き部
１８Ｘ  開放状態
１８Ｙ  閉鎖状態
１９    クランク軸
２０    セカンドシート
２０Ｘ  着座位置
２０Ｙ  倒伏位置
２０Ｚ  収容位置
２２    シートバック
２２Ａ  操作レバー
２４    シークッション
２６    リクライニング
２６    リクライニング装置
２８Ａ  リンクアーム
２８Ｂ  リンクアーム
３０    サードシート
３２    シートバック
３４    シートクッション
３６    支持体
３８    収容空間
４０    スライドロック機構
４２    アッパーレール
４３    レール本体
４４    ロアレール
４５Ｘ  係合孔
４５Ｚ  係合孔
４６    係合部材
４７ａ  伝達部材
４７ｂ  伝達部材
４７ｃ  伝達部材
４７ｄ  ばね
４８Ａ  ブラケット
４８Ｂ  ブラケット
５０    操作レバー
５１    操作レバーケース
５１Ａ  車両前方面
５１Ｂ  車両後方面
５１Ｃ  切り欠き部
５２    レバー部材
５２Ａ  操作部
５２Ｂ  車両後方面
５３    支持部材
５４    ばね
６０    ワイヤーケーブル
６２    操作レバー接続端部
６４    スライドロック機構接続端部
６６    開閉蓋接続端部
６７    ばね
Ｆ      フロア
【図１】
0005163154.tif 000002
【図２】
0005163154.tif 000003
【図３】
0005163154.tif 000004
【図４】
0005163154.tif 000005
【図５】
0005163154.tif 000006
【図６】
0005163154.tif 000007
【図７】
0005163154.tif 000008
【図８】
0005163154.tif 000009